(57)【要約】【課題】従来のインターネット番組表配信システムは、地上波やＢＳ放送などの有限なチャンネルについての番組表であったため、番組表に表示される番組情報についても一定期間において有限数である。しかし、インターネットで配信される番組を視聴しようとした場合に非常に多くのコンテンツが存在しており、また数も特定できない。このような場合に視聴者が望むコンテンツ配信情報を容易に取得し、選択視聴したいという課題が生じる。【解決手段】以上の課題解決のため、本発明のインターネット番組表配信システムはコンテンツ収集サーバが収集したコンテンツの配信情報と視聴者からの選択情報をもとに、該サーバで番組表を構成する。視聴者はリモコン装置により視聴したいコンテンツを番組表より選局する。かつ、課金も確実に行うことのできるインターネット番組表配信システムを提供する。【選択図】図２
2008270930.tif 000002
【特許請求の範囲】
【請求項１】
番組を選択するための番組選択情報を取得し送信する番組選択情報送信部と、
前記送信に応じて受信する番組表データを保持する番組表データ保持部と、
保持されている番組表データを用いて番組の選択入力を受付ける選択入力部と、
前記選択にて特定されるコンテンツ識別情報をリモコン信号として送信するリモコン信号送信部とを有するリモコン装置と、
リモコン信号を受信するリモコン信号受信部と、
受信したリモコン信号に含まれるコンテンツ識別情報に応じてコンテンツ配信要求を送信するコンテンツ配信要求送信部と、
送信されるコンテンツ配信要求に応じてコンテンツ配信装置より配信されるコンテンツデータを受信するコンテンツデータ受信部と、
受信したコンテンツデータに基づいてコンテンツを表示するコンテンツ表示部と
を有するコンテンツ表示装置と、
インターネット上で配信されるコンテンツ配信情報を収集するコンテンツ配信情報収集部と、
収集されたコンテンツ配信情報を蓄積するコンテンツ配信情報蓄積部と、
蓄積されたコンテンツ配信情報を番組表として構成する番組表構成部と、
構成された番組表に基づいてリモコン装置から送信される番組選択情報に応じて番組表データを配信する番組表データ配信部と、
を有する番組表データ配信装置と、
からなるインターネット番組表配信システム。
【請求項２】
リモコン装置は、
さらに選択にて特定されたコンテンツ識別情報を、リモコン装置識別情報と関連付けて番組表データ配信装置に送信するコンテンツ識別情報送信部を有し、
番組表データ配信装置は、
リモコン装置から受信するコンテンツ識別情報とこれに関連付けられているリモコン装置識別情報とに応じて課金のための処理である課金処理を実行するための課金処理実行部と、を有する請求項１に記載のインターネット番組配信システム。
【請求項３】
リモコン装置はさらに送信したコンテンツ識別情報に応じてコンテンツ表示装置からそのコンテンツの表示が完了した旨の情報である表示完了情報を受信する表示完了情報受信部を有し、
コンテンツ識別情報送信部は、表示完了情報が受信された場合にのみコンテンツ識別情報を番組表データ配信装置に送信する表示完了時送信手段を有する請求項２に記載のインターネット番組配信システム。
【請求項４】
リモコン装置において、
番組を選択するための番組選択情報を取得し送信する番組選択情報送信ステップと、
前記送信に応じて受信する番組表データを保持する番組表データ保持ステップと、
保持されている番組表データを用いて番組の選択入力を受付ける選択入力ステップと、
前記選択にて特定されるコンテンツ識別情報をリモコン信号として送信するリモコン信号送信ステップを実行し、
コンテンツ表示装置において、
リモコン信号を受信するリモコン信号受信ステップと、
受信したリモコン信号に含まれるコンテンツ識別情報に応じてコンテンツ配信要求を送信するコンテンツ配信要求送信ステップと、
送信されるコンテンツ配信要求に応じてコンテンツ配信装置より配信されるコンテンツデータを受信するコンテンツデータ受信ステップと、
受信したコンテンツデータに基づいてコンテンツを表示するコンテンツ表示ステップと
を実行させ、
番組表データ配信装置において、
インターネット上で配信されるコンテンツ配信情報を収集するコンテンツ配信情報収集ステップと、
収集されたコンテンツ配信情報を蓄積するコンテンツ配信情報蓄積ステップと、
蓄積されたコンテンツ配信情報を番組表として構成する番組表構成ステップと、
構成された番組表に基づいてリモコン装置から送信される番組選択情報に応じて番組表データを配信する番組表データ配信ステップと、
を実行させるインターネット番組表配信システムの動作方法。
【請求項５】
リモコン装置において、
さらに選択にて特定されたコンテンツ識別情報を、リモコン装置識別情報と関連付けて番組表データ配信装置に送信するコンテンツ識別情報送信ステップを実行させ、
番組表データ配信装置において、
リモコン装置から受信するコンテンツ識別情報とこれに関連付けられているリモコン装置識別情報とに応じて課金のための処理である課金処理を実行するための課金処理実行ステップと、
を実行させる請求項４に記載のインターネット番組配信システムの動作方法。
【請求項６】
リモコン装置は、
さらに送信したコンテンツ識別情報に応じてコンテンツ表示装置からそのコンテンツの表示が完了した旨の情報である表示完了情報を受信する表示完了情報受信ステップを実行させ、
コンテンツ識別情報送信ステップは、表示完了情報が受信された場合にのみコンテンツ識別情報を番組表データ配信装置に送信する表示完了時送信サブステップを有する請求項５に記載のインターネット番組配信システムの動作方法。
【発明の詳細な説明】
【技術分野】
【０００１】
本発明は、インターネット上の動画を検索し、番組表として配信するための技術に関する。
【背景技術】
【０００２】
近来、広帯域の通信回線が普及し、インターネット上の動画コンテンツをＰＣ等の端末において視聴することが通常のこととなった。動画コンテンツ配信専用のサイトが多数存在し、ストリーミング技術等により長時間の広帯域コンテンツも安定して配信されるようになってきた。このような動画コンテンツ配信サイトにおいては、多数のコンテンツが「スポーツ」「ドラマ」「アニメ」等のジャンル分けあるいは「新着映像」「お勧め番組」等のカテゴリーに分けて掲載されて、視聴者が視聴するコンテンツを選択できるようになっている場合が多い。
【０００３】
一方、BSディジタル放送や、地上波ディジタル放送では、EPG（Electronic Program Guide）という、放送電波と共に番組の内容や放送時刻等を含んだ情報をデータとして配信し、端末画面上で時間軸を伴った表として表示する技術がある。視聴者はこの表内の情報を用いて、リモコン等を用いて視聴あるいは録画する番組を選択することができる。また、EPGの情報をインターネットを介して配信し、これを通信回線に接続された端末により参照および検索し、視聴あるいは録画する番組を選択するという技術が存在する。
【０００４】
ここで、特許文献１には、記憶手段に少なくともテレビ放送の内容と放映開始日時とを含む電子化された情報が記憶されており、視聴者が所望の番組内容を指定すると、指定された内容と同一の番組を検索し、抽出特定を行った上で録画を行う技術について開示がされている。
【特許文献１】特許３１３０５０１号公報
【０００５】
さらに、特許文献２には、携帯電話に放送タイムテーブル、すなわち番組表がダウンロード可能であり、当該番組表データが時刻情報と同期されて表示される携帯電話用アプリケーションに関する技術について開示されている。視聴者は携帯電話にダウンロードされた番組表を用いて視聴番組を選択し、番組表データと共にダウンロードされた赤外線コードを特定する情報により、テレビ等の放送受信端末に対して赤外線通信機能を有する携帯電話を用いて選局等の操作が可能である。
【特許文献２】特開２００６−２２２８６３号公報
【発明の開示】
【発明が解決しようとする課題】
【０００６】
しかし、上記従来の技術には以下のような課題がある。第一に、特許文献１で開示されている技術では、あくまでテレビ放送にて提供される少数のチャンネルを対象にしている。地上波ディジタル放送や、ＢＳディジタル放送のようなチャンネル数に限りがある放送では一定期間に放映される番組は限られているため、番組表の中で掲載される番組数も限られる。一方で、インターネット上の動画コンテンツは不特定多数のインターネットアドレスに不特定多数の動画コンテンツが存在する。このため、不特定多数の番組、すなわち動画コンテンツから視聴者が望むコンテンツだけを探して提供する必要があるという課題が生じる。
【０００７】
上記のような第一の課題が生じた場合において、特許文献２にリモコン装置として記載されている、携帯電話のような小型の端末にインターネット上の動画コンテンツの番組表をダウンロードする際においては、当該課題はさらに重要性が高まる。携帯電話のような小型の装置においては、画面に表示される情報量においても、番組表を保持できる記憶容量においても、許容量が小さいため、多くの情報を蓄積し、選択可能とすることが困難であるからである。
【０００８】
第二に、有料の動画コンテンツの場合には、課金処理はコンテンツ提供者が個別に行い、徴収も個別に行う場合が多数を占める。このため、多数のコンテンツ提供者から視聴者に対し個別に課金徴収の手続きが発生し、視聴者側の負担も増大し、手続きも煩雑化する。そこで、動画コンテンツ再生の課金処理における集約化を行うという第二の課題が生じる。
【課題を解決するための手段】
【０００９】
以上の課題を解決するために、本発明は以下のようなインターネット番組表配信システムを提供する。第一に、インターネット上で配信されている動画コンテンツのURL等のコンテンツ配信情報を収集し、これを視聴者のリモコン装置に対して通信回線等を通じ、配信を行うシステムを提供する。この際、視聴者側のリモコンより検索キーワードなどのコンテンツの選択情報が送られ、これに応じてコンテンツ識別情報が番組表として構成され、リモコン装置に対して配信される。このコンテンツ識別情報をコンテンツ配信要求としてリモコン装置よりコンテンツ表示装置に送信することで、動画の視聴を行うことができる。
【００１０】
具体的には、番組を選択するための番組選択情報を取得し送信する番組選択情報送信部と、前記送信に応じて受信する番組表データを保持する番組表データ保持部と、保持されている番組表データを用いて番組の選択入力を受付ける選択入力部と、前記選択にて特定されるコンテンツ識別情報をリモコン信号として送信するリモコン信号送信部とを有するリモコン装置と、リモコン信号を受信するリモコン信号受信部と、受信したリモコン信号に含まれるコンテンツ識別情報に応じてコンテンツ配信要求を送信するコンテンツ配信要求送信部と、送信されるコンテンツ配信要求に応じてコンテンツ配信装置より配信されるコンテンツデータを受信するコンテンツデータ受信部と、受信したコンテンツデータに基づいてコンテンツを表示するコンテンツ表示部とを有するコンテンツ表示装置と、インターネット上で配信されるコンテンツ配信情報を収集するコンテンツ配信情報収集部と、収集されたコンテンツ配信情報を蓄積するコンテンツ配信情報蓄積部と、蓄積されたコンテンツ配信情報を番組表として構成する番組表構成部と、構成された番組表に基づいてリモコン装置から送信される番組選択情報に応じて番組表データを配信する番組表データ配信部と、を有する番組表データ配信装置と、からなるインターネット番組表配信システムを提供する。
【００１１】
第二は、上記第一のインターネット番組表配信システムを基本として、さらにリモコン装置が、コンテンツ識別情報と関連付けられたリモコン装置識別情報を番組表データ配信装置に向け送信する機能を有することで、課金処理を行うことができるインターネット番組表配信システムを提供する。具体的には、請求項１に記載のリモコン装置に加え、選択にて特定されたコンテンツ識別情報をリモコン装置識別情報と関連付けて番組表データ配信装置に送信するコンテンツ識別情報送信部を有する。また、番組表データ配信装置は、リモコン装置から受信するコンテンツ識別情報とこれに関連付けられているリモコン装置識別情報とに応じて課金のための処理である課金処理を実行するための課金処理実行部と、を有するインターネット番組配信システムを提供する。
【００１２】
第三は、上記第二のインターネット番組配信システムを基本として、全てのコンテンツの表示が完了した時のみに、表示完了情報を番組表データ配信装置に向け送信する機能を有するインターネット番組配信システムを提供する。これにより、配信要求、つまり配信開始前にリモコン装置識別情報とコンテンツ識別情報を送信するのに加えて、表示終了時に表示完了情報を番組表配信装置に送信することで、視聴者がコンテンツを全て取得し終わった際にのみ課金が行うことができる。具体的には、請求項２に記載のリモコン装置に加え、送信したコンテンツ識別情報に応じてコンテンツ表示装置からそのコンテンツの表示が完了した旨の情報である表示完了情報を受信する表示完了情報受信部を有し、コンテンツ識別情報送信部は、表示完了情報が受信された場合にのみコンテンツ識別情報を番組表データ配信装置に送信する表示完了時送信手段を有するインターネット番組配信システムを提供する。
【発明の効果】
【００１３】
以上のような構成をとる第一の本発明によって、例えば携帯電話のアプリケーションに上記リモコン装置の機能を持たせ、視聴者は視聴したいコンテンツを番組表データ配信装置より配信された番組表より選択することができる。選択したコンテンツは携帯電話の赤外線通信機能によりコンテンツ表示装置に対してURL等のコンテンツ識別情報をコンテンツ配信要求として送信し、コンテンツ表示装置は当該コンテンツ識別情報を元にコンテンツを取得し、視聴者はこれを視聴することができる。
【００１４】
また、第二の本発明によって、例えば携帯電話によりコンテンツ表示装置に対して送信要求を行ったコンテンツ識別情報を、携帯電話を特定する情報と共に番組表データ配信装置の課金処理実行部に送信することで、どの視聴者がどのコンテンツを視聴したのかの特定が可能となり課金処理が可能となる。
その上、番組表データ配信装置のコンテンツ配信情報蓄積部はコンテンツ提供者を横断的にコンテンツ識別情報を収集するため課金処理の一元化が可能であり、コンテンツ対価の代行徴収機能も当該システムにより実現可能である。
【００１５】
さらに、第三の本発明によって、例えば動画のコンテンツの場合、通信網の異常等や何らかの原因により、視聴者が終端までコンテンツを表示できなかった際にも課金されてしまうという事態を回避し、確実な対価の徴収を行うことができる。
【発明を実施するための最良の形態】
【００１６】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１及び請求項４などについて説明する。また、実施例２は、主に請求項２、及び請求項５などについて説明する。また、実施例３は、主に請求項３、及び請求項６などについて説明する。
【００１７】
≪実施例１≫
<概要>
図１は、実施例１における概要を表した概念図であり、本実施例のインターネット番組表配信システムによる利用場面の一例を説明するための図である。この図にあるように、番組表配信装置（０１０１）がインターネット（０１００）上に多数存在するコンテンツサーバ上のコンテンツ配信情報を収集し蓄積している。視聴者は赤外線通信機能付携帯電話（０１０２）を使用し、携帯電話のアプリケーションによって番組表配信装置からダウンロードしてきた番組表を参照している。このとき、あらかじめ視聴者は検索キーワード等で、「趣味：オペラ」、「キーワード：プロ野球」、「興味のある話題：株価」などの情報を番組選択情報として送信している。視聴者は番組表（０１０３）のうち、「1.市況ニュース」を選択し、携帯電話の赤外線通信機能を使用し、赤外線受光器（０１０４）に向けURL等のコンテンツ識別情報を送信している。これにより、インターネットに接続したテレビ（０１０５）によって「市況ニュース」配信サーバ（０１０６）より配信される当該番組を視聴している。
【００１８】
このように、携帯電話端末のような小型の通信端末を番組表付リモコン装置として使用し、かつ番組表配信装置より配信を受けたい情報を番組選択情報として選択し配信を受けることで、視聴者の嗜好や欲しい情報にあわせて、インターネット上に膨大な数が存在する動画コンテンツのなかから、必要な情報のみを検索し、視聴することができる。
【００１９】
<機能的構成>
図２は、本実施例のインターネット番組表配信システムにおける機能ブロックの一例を表す図である。この図にあるように、本実施例の「インターネット番組表配信システム」（０２００）は、「番組表データ配信装置」（０２０１）と、「リモコン装置」（０２０２）と、「コンテンツ表示装置」（０２０３）とを有する。
【００２０】
「番組表データ配信装置」（０２０１）は、「コンテンツ配信情報収集部」（０２０４）と、「コンテンツ配信情報蓄積部」（０２０５）と、「番組表構成部」（０２０６）と、「番組表データ配信部」（０２０７）からなる。
【００２１】
「リモコン装置」（０２０２）は、「番組選択情報送信部」（０２０８）と、「番組表データ保持部」（０２０９）と、「選択入力部」（０２１０）と、「リモコン信号送信部」（０２１１）とからなる。
【００２２】
「コンテンツ表示装置」（０２０３）は、「リモコン信号受信部」（０２１２）と、「コンテンツ配信要求送信部」（０２１３）と、「コンテンツデータ受信部」（０２１４）と、「コンテンツ表示部」（０２１５）
とからなる。
【００２３】
なお、以下に記載するインターネット番組表配信システムの機能ブロックは、ハードウエア、ソフトウエアソフトウエア、又はハードウエア及びソフトウエアの両方として実現され得る。具体的には、コンピュータを利用するものであれば、CPUや主メモリ、バス、あるいは二次記録媒体（ハードディスクや不揮発性メモリ、CD−ROMやDVD−ROMなどの記憶メディアとそれらメディアの読取ドライブなど）、印刷機器や表示装置、その他の外部周辺装置などのハードウエア構成部やその外部周辺機器用のI/Oポート、それらハードウエアを制御するためのドライバプログラムやその他アプリケーションプログラム、情報入力に利用されるユーザーインターフェースなどが挙げられる。
【００２４】
またこれらハードウエアやソフトウエアは、主メモリ上に展開したプログラムをCPUで演算処理したり、メモリやハードディスク上に保持されているデータや、インターフェースを介して入力されたデータなどを加工、蓄積、出力処理したり、あるいは各ハードウエア構成部の制御を行ったりするために利用される。また、この発明は装置として実現できるのみでなく、方法としても実現可能である。また、このような発明の一部をソフトウエアとして構成することができる。さらに、そのようなソフトウエアをコンピュータに実行させるために用いるソフトウエア製品、及び同製品を記録媒体に固定した記録媒体も、当然にこの発明の技術的な範囲に含まれる（本明細書の全体を通じて同様である）。
【００２５】
「コンテンツ配信情報収集部」（０２０４）は、「番組表データ配信装置」（０２０１）において、インターネット上で配信されるコンテンツ配信情報を収集する機能を有する。具体的には、インターネット上（０２１６）に存在するコンテンツ配信サーバ（０２１７）より、配信されるコンテンツの識別情報（URL,IPアドレス等）や、配信するコンテンツの概要（番組名、番組のジャンル、出演者等）等を通信回線を介して収集し、コンテンツ配信情報蓄積部（０２０５）に当該情報を蓄積する。「コンテンツ配信情報」とは、コンテンツデータそのものではなく、コンテンツデータに対する説明を加えたメタデータである。例えば、あらかじめ特定のコンテンツサーバの識別子を登録しておき、RSS（Resource Description Framework Site Summary）のようなデータ形式や配信方式があらかじめ規定されたものを使用して、配信情報データを受信してもよい。また特に定まった形式でなく、WWWにおける検索エンジンのサイト情報収集ロボットのように、公衆に対しアクセス可能となっているページを巡回することにより、配信情報を自律的に収集する形態でもよい。また、視聴者がキーワードなどを入力した後に検索を開始する形態でもよいし、あらかじめ視聴者が、後述するリモコン装置（０２０２）の「選択入力部」（０２１０）において指定する情報（プロ野球、オペラ、株価）により収集を行っておき、これに対し番組選択の際にさらに表示する情報を絞込んでもよい。
【００２６】
「コンテンツ配信情報蓄積部」（０２０５）は、「番組表データ配信装置」（０２０１）において、コンテンツ配信情報収集部（０２０５）収集するコンテンツ配信を取得し、蓄積をする。具体的には、蓄積されたコンテンツ配信情報に番組表構成部（０２０６）が利用可能なように、番組名,番組のジャンル,出演者等の情報種別ごとに格納する。当該情報は番組表構成部により必要により抽出され、番組表の情報内容として構成される。格納の形態は収集されたデータそのままを格納する形態でもよいし、情報内容の属性により分類されたものでもよい。後者のように分類された情報を格納する場合においては、あらかじめ情報内容を示すデータは、情報種別の属性があらかじめ付与されているタグ付のXML形式や、当該属性がフィールドで区切られているデータベース形式のようなデータとして蓄積してもよい。また、まったく情報内容の属性の付与されていない自然文テキストデータを構文解析し、別途用意された情報内容の属性を蓄積した辞書と符合させ、情報種別毎に事後的に分類した後で蓄積してもよい。
【００２７】
「番組表構成部」（０２０６）は、「番組表データ配信装置」（０２０１）において、蓄積されたコンテンツ配信情報を番組表として構成する。具体的には、コンテンツ配信情報データをコンテンツ配信情報蓄積部（０２０５）より取得し、番組表を所定の形式で構成し、番組表データ配信部（０２０７）に対して送信可能な番組表データとして渡す。「番組表」とは、コンテンツ配信情報を加工して、視聴者に対して提供可能となるように形式化された情報の内容をいう。番組表の例として、この段階において情報を表示する形式（配信開始時系列、番組内容のジャンル毎の分類等）として規定されていてもよいし、配信情報データの集合のみを規定されているものであって、後述するリモコン装置（０２０２）の「選択入力部」（０２１０）において視聴者の必要な情報のみを選択的に表示されるものでもよい。
【００２８】
「番組選択情報送信部」（０２０８）は、「リモコン装置」（０２０２）において、番組を選択するための番組選択情報を取得し送信する。具体的には、視聴者が、キーボードなどの入力手段により入力した番組選択情報を、送信する機能を有する。「番組選択情報」とは、番組表データ配信部により配信される番組表データの集合を規定する情報のことをいう。例えば、視聴者の年齢、性別、住所等の個人情報であってもよいし、趣味、嗜好、現在興味がある事柄等であってもよいし、具体的なある特定の番組名であってもよいし、単語でもよい。視聴者が選択する際の入力形式は、単にキーワード等を入力してもよいし、自然文で入力してもよい。リモコン装置が携帯電話であれば、端末の位置登録情報などを用いてもよい。
【００２９】
「番組表データ配信部」（０２０７）は、「番組表データ配信装置」（０２０１）において、「番組表構成部」（０２０６）において構成された番組表を、リモコン装置から送信される番組選択情報に応じて番組表データを配信する。具体的には、番組表構成部（０２０６）より番組表データを取得し、リモコン装置（０２０２）の「選択入力部」（０２１０）により入力された番組選択情報に応じて、リモコン装置（０２０２）における番組表データ保持部（０２０９）に対し、番組表データを配信する。番組データの配信は、通信回線を通じて行われるが、配信の媒体は無線、有線を問わない。また、データ配信のタイミングであるが、指定時刻に定期的に配信する方式でもよいし、「リモコン装置」（０２０２）における「番組選択情報送信部」（０２０８）の求めに応じて配信する方式でもよい。
【００３０】
「番組表データ保持部」（０２０９）は、「リモコン装置」（０２０２）において、「番組表データ配信部」（０２０７）の番組表データの送信に応じて受信する番組表データを保持する。具体的には、番組表データ配信部（０２０７）により配信された番組表データを所定の方式で受信し、後述する選択入力部（０２１０）が、選択入力可能な形で保持を行う。保持の方式は、番組表構成部（０２０６）があらかじめ構成した番組表画面毎に複数保持していてもよいし、番組配信情報データの集合のみを保持しておいて、選択入力部（０２１０）にて、視聴者が必要な情報のみを絞りこんで表示する方式でもよい。
【００３１】
「選択入力部」（０２１０）は、「リモコン装置」（０２０２）において、保持されている番組表データを用いて番組の選択入力を受付ける。具体的には、番組表データ保持部（０２０９）が保持している保持データを表示装置に表示し、番組表として構成されたコンテンツの一覧を表示装置において表示を行う。表示されるコンテンツは番組表データ保持部が保持しているデータすべてを一覧表示する方式でもよいし、検索条件を入力し、該当するもののみについて表示するものでもよい。例えば、「スポーツ」というジャンルのコンテンツの「プロ野球」というジャンルの番組表が番組表構成部において構成され、当該番組表が、番組表データ保持部において保持されていた場合に、選択入力部において表示期間を指定すると、指定期間のみの番組表が絞りこんで表示されるという形式でもよい。
【００３２】
「リモコン信号送信部」（０２１１）は、「リモコン装置」（０２０２）において、前記選択にて特定されるコンテンツ識別情報をリモコン信号として送信する。具体的には選択入力部において選択されたコンテンツのコンテンツ識別情報をコンテンツ表示装置（０２０３）のリモコン信号受信部（０２１２）に向け、送信を行う。送信の方式は有線または無線を問わない。また無線においては、例えば、赤外線を用いたものでは、通常のテレビのリモコンや、IrDA等の赤外線通信でもよい。また電波を用いたものでは例えば、携帯電話回線によりTCP／IP通信によるものでもよいし、無線LANや、Bluetoothのような近距離無線通信でもよい。送信される識別情報であるが、単に、選択入力部により選択されたコンテンツのURLそのものでもよいし、所定の桁数のコード番号であってもよい。また、コンテンツ識別情報と同時に、視聴者の年齢や性別等の個人属性等をコード化あるいは暗号化して送信してもよい。
【００３３】
「リモコン信号受信部」（０２１２）は、「コンテンツ表示装置」（０２０３）において、リモコン信号を受信する。具体的には、「リモコン装置」（０２０２）における、リモコン信号送信部から発信した信号を受信し、当該信号の中に含まれているコンテンツ識別情報を取得し、コンテンツ配信要求送信部に渡す。リモコン信号受信部は、リモコン装置（０２０２）が通信においてリモコン信号送信部（０２１１）の使用する信号媒体と同様の規格の受信部を持つ。また、「リモコン信号受信部」はテレビの赤外線受光部のように受信した識別番号をのみをコンテンツ配信要求送信部に送ることで、対応するコンテンツを取得するものでもよい。
【００３４】
「コンテンツ配信要求送信部」（０２１３）は、「コンテンツ表示装置」（０２０３）において、受信したリモコン信号に含まれるコンテンツ識別情報に応じてコンテンツ配信要求を送信する。具体的には、通信回線を介して、リモコン信号受信部が取得したコンテンツ識別情報を用い、当該識別情報を持つコンテンツサーバに対して配信要求を送信する。
【００３５】
「コンテンツデータ受信部」（０２１４）は、「コンテンツ表示装置」（０２０３）において、送信されるコンテンツ配信要求に応じてコンテンツ配信装置より配信されるコンテンツデータを受信する。具体的には、コンテンツサーバが有するコンテンツの種類に応じて、通信回線を介してコンテンツデータを取得し、コンテンツ表示部に送るはたらきを担う。例えばコンテンツデータがストリーム形式のデータであればストリーム形式を受信するための受信バッファ等を有する。またコンテンツ受信に用いる通信回線の媒体は有線および無線を問わない。回線種別は光ファイバやADSLのような公衆回線などでもよい。
【００３６】
「コンテンツ表示部」（０２１５）は、「コンテンツ表示装置」（０２０３）において、受信したコンテンツデータに基づいてコンテンツを表示する。具体的には、コンテンツデータ受信部から送られてきたコンテンツデータを変換し、映像を表示する。「変換」とは、MPEG２のような圧縮されたデータのデコードのような処理を含み、またデコードされたデータの描画を行うディスプレイドライバ等もコンテンツ表示部に含む。
【００３７】
<処理の流れ>
図３は、本実施例のインターネット番組表配信システムにおける処理の流れの一例を表すフローチャートである。なお、以下に示すステップは、媒体に記録され計算機を制御するためのプログラムを構成する処理ステップであっても構わない。この図にあるように、まず、コンテンツ配信情報の収集および蓄積を行う（ステップＳ０３０１）。次に、番組選択情報に基づき番組表の構成を行う（ステップＳ０３０２）。最後にコンテンツサーバよりコンテンツを取得しコンテンツを表示する（ステップＳ０３０４）。
<詳細な処理の流れ>
図４は、本実施例のインターネット番組表配信システムにおける詳細な処理の流れの一例を表すシーケンス図である。まず、リモコン装置（０４０２）において番組選択情報を取得する（ステップＳ０４０４）。番組選択情報は番組表データ配信装置に送られる（ステップＳ０４０５）。番組表データ配信装置（０４０１）においては、コンテンツ配信情報を収集、蓄積する処理（ステップＳ０４０６）が行われている。当該処理はリモコン装置における番組選択情報を取得する処理（ステップＳ０４０４）と同時に行われていてもかまわない。番組選択情報が番組表配信装置に送られると、番組表データ配信装置において番組表の構成がおこなわれる（ステップＳ０４０７）。構成が行われた番組表データは、リモコン装置に送られる。番組表データはリモコン装置の表示部に表示され、番組の選択入力（ステップＳ０４０９）が行われる。
番組の選択入力が行われるとコンテンツ表示装置にコンテンツ識別情報が送られ（ステップＳ０４１０）、コンテンツ表示装置はコンテンツサーバに対してコンテンツ配信要求（ステップＳ０４１１）を行い、コンテンツ表示装置によりコンテンツデータの取得が行われ、コンテンツの表示がされる（ステップＳ０４１２）。
<ハードウエア的構成>
図５,６,７は、上記機能的な各構成要件をハードウエアとして実現した際の、インターネット番組表配信システムにおける構成の一例を表す概略図である。これらの図を利用してインターネット番組表配信の処理におけるそれぞれのハードウエア構成部の働きについて説明する。まず図５は番組表データ配信装置のハードウエア構成の一例である。この図にあるように、番組表データ配信装置（０５００）は、各種演算処理を行う「ＣＰＵ（中央演算装置）」（０５０１）と、「ＲＡＭ」（０５０２）と、を有している。また、「二次記憶装置」（０５０３）と、通信を司る「通信Ｉ／Ｆ」（０５０４）とを有している。そしてそれらが「システムバス」（０５０５）などのデータ通信経路によって相互に接続され、情報の送受信や処理を行う。ここで、「二次記憶装置」とは、ハードディスクや、ＤＶＤのような光ディスクが一例として挙げられる。
【００３８】
図６はリモコン装置のハードウエア構成の一例である。この図にあるように、リモコン装置（０６００）は、各種演算処理を行う「ＣＰＵ（中央演算装置）」（０６０１）と、「ＲＡＭ」（０６０２）と、を有している。また、「通信Ｉ／Ｆ」（０６０３）と、視聴者の操作を受付ける「操作入力Ｉ／Ｆ」（０６０４）とを有している。さらに、リモコン信号の送信を行う、「赤外線発光素子」（０６０５）を有している。そしてそれらが「システムバス」（０６０６）などのデータ通信経路によって相互に接続され、情報の送受信や処理を行う。ここで、「操作入力Ｉ／Ｆ」（０６０４）とは例えば、ボタン、液晶表示ディスプレイ、ポインティングデバイスなどを指す。
【００３９】
図７はコンテンツ表示装置のハードウエア構成の一例である。この図にあるように、コンテンツ表示装置（０７００）は、各種演算処理を行う「ＣＰＵ（中央演算装置）」（０７０１）と、「ＲＡＭ」（０７０２）とを有している。また、「通信Ｉ／Ｆ」（０７０３）と、「赤外線受光素子」（０７０４）及び「赤外線受光回路」（０７０５）を有している。さらに、コンテンツを表示する「ＶＲＡＭ」（０７０６）及びこれに接続された液晶ディスプレイなどの表示装置（０７０７）そしてそれらが「システムバス」（０７０８）などのデータ通信経路によって相互に接続され、情報の送受信や処理を行う。
【００４０】
ここで、まず、図５に示す、番組表データ配信装置（０５００）の動作について説明する。「ＣＰＵ」（０５０１）や「ＲＡＭ」（０５０２）および「通信Ｉ／Ｆ」（０５０４）を使用して、コンテンツ配信情報を検索する。検索されたコンテンツ配信情報は「通信Ｉ／Ｆ」（０５０４）を介して取得され、主に「二次記憶装置」（０５０３）に蓄積される。蓄積されたコンテンツ配信情報は、リモコン装置（０６００）の送信する番組選択情報を「通信Ｉ／Ｆ」（０５０４）により取得し、ＲＡＭ（０５０２）に保持される。ＣＰＵにおける処理により番組選択情報に該当する、コンテンツ配信情報が二次記憶装置（０５０３）より、ＲＡＭ（０５０２）上へ読み出される。当該情報は、通信Ｉ／Ｆ（０５０４）によりリモコン装置（０６００）に配信される。
【００４１】
次に、図６に示すリモコン装置（０６００）の動作について説明する。視聴者はまず、「操作入力Ｉ／Ｆ」（０６０４）において、番組選択情報を入力し、「通信Ｉ／Ｆ」（０６０３）を介して番組表データ配信装置（０５００）に送る。その後前記装置（０５００）の処理により配信されてきた番組表データは、「ＲＡＭ」（０６０２）により保持される。保持されている番組表データは、「操作入力Ｉ／Ｆ」（０６０４）により選択され、「ＣＰＵ」（０６０１）選択情報には番組表データに含まれているコンテンツ識別情報を「ＲＡＭ」（０６０２）から抽出し、赤外線通信が可能な装置であれば、リモコン信号送信部にあたる「赤外線発光素子」（０６０５）によりコンテンツ識別情報などがコンテンツ表示装置（０７００）に向け送られる。この際、赤外線通信を使用せず、通信Ｉ／Ｆ（０６０３）を介する通信により、コンテンツ表示装置（０７００）に向けコンテンツ識別情報などを送信してもよい。また、図示していないが、リモコン装置（０６００）は、携帯電話でもよく、電話機能を実現するための携帯電話回線通信部や、音声入出力部などを有していてもよい。
【００４２】
次に、図７に示す、コンテンツ表示装置（０７００）の動作について説明する。リモコン装置が、赤外線により通信が行った場合には、赤外線受光素子（０７０４）と、赤外線受光回路（０７０５）とで、リモコン装置（０６００）より配信されたコンテンツ識別情報などを受信する。ここで赤外線受光素子（０７０４）と、赤外線受光回路（０７０５）とは、コンテンツ表示装置に内蔵されていてもよいし、USBポートなどを使用してアドオン（後付け）するタイプでもよい。リモコン装置（０６００）が通信Ｉ／Ｆ（０６０３）により通信を行った場合には、コンテンツ表示装置側の通信Ｉ／Ｆ（０７０３）により、受信が行われる。受信されたコンテンツ識別情報などは、ＲＡＭ（０７０２）に蓄積される。ＣＰＵ（０７０１）は、ＲＡＭ（０７０２）に蓄積された当該識別情報から、例えばコンテンツ配信サーバのＵＲＬなどを取得し、コンテンツ取得命令を通信Ｉ／Ｆ（０７０３）を介して送信する。ＣＰＵ（０７０１）は、通信Ｉ／Ｆ（０７０３）を介して、コンテンツデータをコンテンツサーバより取得し、ＲＡＭ（０７０２）に格納する。ＣＰＵ（０７０１）は、コンテンツデータの種類に応じて圧縮データのエンコード処理などを行った上で、コンテンツデータを再生するプログラムにより再生を行う。再生された映像データはＶＲＡＭ（０７０６）において処理され、映像データとして表示装置（０７０７）に送られ、映像として表示される。
【００４３】
<効果の簡単な説明>
以上のように本実施例のインターネット番組表配信システムによって、例えば携帯電話のアプリケーションにリモコン装置の機能を持たせ、視聴者は視聴したいコンテンツを番組表データ配信装置より配信された番組表より選択することができる。選択したコンテンツは携帯電話の赤外線通信機能などによりコンテンツ表示装置に対して、URL等のコンテンツ識別情報をコンテンツ配信要求として送信し、コンテンツ表示装置は当該コンテンツ識別情報をもとにコンテンツを取得し、視聴者はこれを視聴することができる。
【００４４】
≪実施例２≫
<概要>
本実施例では、実施例１のインターネット配信システムを基本として、リモコン装置にコンテンツ識別情報送信部を、番組表データ配信装置に課金処理実行部を、新たに有する。コンテンツ識別情報送信部が、視聴者の選択したコンテンツの識別情報を課金処理実行部に送ることで、課金処理が可能であることを特徴とするインターネット配信システムである。
【００４５】
<機能的構成>
図８は、本実施例のインターネット配信システムにおける機能ブロックの一例を表す図である。この図にあるように、本実施例の「インターネット配信システム」（０８００）は、実施例１を基本としてリモコン装置（０８０２）において「コンテンツ識別情報送信部」（０８１８）を新たに有することを特徴とする。また、番組表データ配信装置（０８０１）において、「課金処理実行部」（０８１９）を新たに有することを特徴とする。なお、その他の構成要件については上記実施１にて既に記載済みであるのでその説明は省略する。上記のような構成に加え、リモコン装置が固有に有するリモコン装置識別情報により、どの視聴者がどのコンテンツを視聴したかを、特定することができる。このため、課金処理が可能となる。
【００４６】
「コンテンツ識別情報送信部」（０８１８）は、選択にて特定されたコンテンツ識別情報を、リモコン装置識別情報と関連付けて番組表データ配信装置に送信する。具体的には、選択入力部（０８１０）によって選択されたコンテンツの識別情報と、リモコン装置が有するリモコン装置識別情報とを取得し、この両者を関連付けた上で、関連付けられたデータを番組表データ配信装置（０８０１）の課金処理実行部（０８１９）に対して送信する。
【００４７】
「課金処理実行部」（０８１９）は、リモコン装置から受信するコンテンツ識別情報とこれに関連付けられているリモコン装置識別情報とに応じて課金のための処理である課金処理を実行する。具体的には、同処理部は、リモコン装置（０８０２）から送られた、コンテンツ識別情報と、これに関連付けられたリモコン装置識別情報とを受信し、当該コンテンツ識別情報と、番組表データ配信装置が取得し蓄積された有料コンテンツ識別情報とを一致させる。これにより、関連付けられたリモコン装置識別情報を有する視聴者に対して前記一致したコンテンツ識別情報を有するコンテンツの対価の課金を行うことが可能となる。
【００４８】
<処理の流れ>
図９は、本実施例のインターネット番組表配信システムにおける処理の流れの一例を表すシーケンス図である。ステップＳ０９０４〜ステップＳ０９１２については、実施例１と同様であるので、説明は省略する。リモコン装置において、番組の選択入力が行われると（ステップＳ０９０９）、リモコン装置識別情報と、これに関連付けられたコンテンツ識別情報が送信される（ステップＳ０９１３）。番組表データ配信装置でこれを受信し、課金処理が行われる（ステップＳ０９１４）。なお、リモコン装置識別情報が送信されるタイミングであるが、番組の選択入力以降であれば任意のタイミングで送信してよい。
【００４９】
<詳細な処理の流れ>
図１０は、本実施例のインターネット番組表配信システムにおける処理の流れのうち、課金処理の流れの一例について示したフローチャートである。まず、コンテンツ識別情報の取得を（ステップＳ１００１）行う。次に、リモコン装置の有するリモコン装置識別情報を取得し、コンテンツ識別情報と関連付けを行う（ステップＳ１００２）。関連付けられた前記二つの情報は送信され（ステップＳ１００３）
、当該情報を用いて課金処理が行われる（ステップＳ１０１０４）。課金処理の方法は、関連付けられた前記二つの情報のうちコンテンツ識別情報については、配信情報を収集、蓄積する処理（ステップＳ０３０１など）において蓄積されたコンテンツ識別情報と一致させる処理を行ってもよい。リモコン装置識別情報については、別途設けられた、リモコン装置識別情報と視聴者を特定する情報とを関連付けて保持されたデータベース等にアクセスし、視聴者を特定する処理を行ってもよい。
【００５０】
<ハードウエア構成>
図１１、及び図１２は、本実施例の機能的な各構成要件の一部をハードウエアとして実現した際の、インターネット番組表配信システムにおける構成の一例を表す概略図である。なお、コンテンツ表示装置については実施例１と同一であるので図示は省略する。この図を利用して、特に図９で示すステップＳ０９０９からステップ０９１４におけるそれぞれのハードウエア構成部の働きについて説明する。
【００５１】
本実施例におけるハードウエアの構成は実施例１と同じであるが、実施例１に示す機能に加え、図１２に示す番組表データ配信装置において、ＣＰＵ（１２０１）とＲＡＭ（１２０２）とが主に課金処理実行部として動作する点に特徴を有する。また、図１１に示すリモコン装置において、通信Ｉ／Ｆ（１１０３）が主にコンテンツ識別情報送信部として機能する点に特徴を有する。
【００５２】
ここで、図１１に示すリモコン装置において、選択入力部としての操作入力Ｉ／Ｆ（１１０４）によってコンテンツ識別情報などが選択されると、ＣＰＵ（１１０１）は、ＲＡＭ（１１０２）上にあらかじめ蓄積されているリモコン装置識別情報と、前記コンテンツ識別情報を関連付ける。この関連付けられた二の情報は通信Ｉ／Ｆ（１１０３）により図１２に示す番組表データ配信装置（１２００）に送信される。
【００５３】
図１２に示す番組表データ配信装置は、リモコン装置より送られた前記情報を通信Ｉ／Ｆ（１２０４）を介して受信し、ＲＡＭ（１２０２）に一時的に保持する。ＣＰＵ（１２０１）は、コンテンツ配信情報蓄積部にあたる二次記憶装置（１２０３）に蓄積されたコンテンツ配信情報内のコンテンツ識別情報を取得し、当該受信した情報と一致させることにより、リモコン装置により選択されたコンテンツを特定する。一方、リモコン装置識別情報は、例えば二次記憶装置（１２０３）に保持されているリモコン装置識別情報と視聴者を特定する情報をＲＡＭ（１２０２）上に呼び出し、ＣＰＵ（１２０１）にて一致する処理を行うことで、特定されたコンテンツをどの視聴者に対して配信されたかを特定する。上記処理により誰が、どのコンテンツを視聴したかの課金情報を生成し、ＲＡＭ（１２０２）あるいは二次記憶装置（１２０３）に蓄積される。
【００５４】
<効果の簡単な説明>
リモコン装置によりコンテンツ表示装置に対して送信要求を行ったコンテンツ識別情報を、リモコン装置を特定する情報と共に番組表データ配信装置の課金処理実行部に送信することで、どの視聴者がどのコンテンツを視聴したのかの特定が可能となり課金処理が可能となる。また、番組表データ配信装置に課金処理機能を持たせることで課金処理の集約化が可能となる。
【００５５】
≪実施例３≫
<概要>
本実施例では、実施例２のインターネット番組表配信システムを基本として、リモコン装置に表示完了情報受信部と、同装置のコンテンツ識別情報送信部において表示完了時送信手段と、を新たに有する。コンテンツの表示完了を受信し、表示完了時にコンテンツ識別情報を送信することで、コンテンツ表示中において何らかの問題が生じて視聴者がすべてコンテンツを視聴することができなかった場合にも課金されてしまうことを防止し、確実な課金処理が可能な点を特徴とするインターネット配信システムである。
【００５６】
<機能的構成>
図１３は、本実施例の映像処理装置における機能ブロックの一例を表す図である。この図にあるように、本実施例の「インターネット番組表配信システム」（１３００）は、実施例２を基本として、リモコン装置（１３０２）において、表示完了情報受信部（１３２０）と、同装置のコンテンツ識別情報送信部において表示完了時送信手段（１３２１）とを、新たに有することを特徴とする。なお、その他の構成要件については上記実施１および２にて既に記載済みであるのでその説明は省略する。
【００５７】
「表示完了情報受信部」（１３２０）は、リモコン装置が送信したコンテンツ識別情報に応じてコンテンツ表示装置からそのコンテンツの表示が完了した旨の情報である表示完了情報を受信する。具体的には、コンテンツ表示装置（１３０３）のコンテンツ表示部（１３１５）において、コンテンツの表示の完了を検出し、表示完了情報を当該受信部（１３２０）に向け送信する。当該受信部（１３２０）は表示完了情報を受信しこれをコンテンツ識別情報送信部の表示完了時送信手段（１３２１）に転送する。
【００５８】
「表示完了時送信手段」（１３２１）は、リモコン装置（１３０２）のコンテンツ識別情報送信部（１３１８）において、表示完了情報が表示完了情報受信部（１３２０）において受信された場合にのみ、コンテンツ識別情報を番組表データ配信装置に送信する。このため、コンテンツの中途で回線の不良
等で視聴が中断した場合には表示完了情報が送られないため、このような場合にも誤って課金が発生してしまうことを防止できる。
【００５９】
<処理の流れ>
図１４は、本実施例のインターネット番組表配信システムにおける処理の流れの一例を表すシーケンス図である。ステップＳ１４０４〜ステップＳ１４１１については、実施例１と同様であるので、説明は省略する。コンテンツ表示装置においてコンテンツの取得及び表示（ステップＳ１４１２）が完了すると、コンテンツ表示完了情報がリモコン装置に対して送信される（ステップＳ１４１５）。リモコン装置は、表示完了情報の受信をトリガーとして、リモコン装置識別情報と、これに関連付けられたコンテンツ識別情報が送信される（ステップＳ１４１３）。番組表データ配信装置でこれを受信し、課金処理が行われる（ステップＳ１４１４）。
【００６０】
<詳細な処理の流れ>
図１５は、本実施例のインターネット番組表配信システムにおける処理の流れのうち、課金処理の流れの一例について示したフローチャートである。なお、以下に示すステップは、媒体に記録され計算機を制御するためのプログラムを構成する処理ステップであっても構わない。この図にあるように、まず、コンテンツの表示完了を検出し、表示完了情報を送信する（ステップＳ１５０５）。表示完了情報を受信（ステップＳ１５０６）したら、コンテンツ識別情報を取得する（ステップＳ１５０１）。次に、リモコン装置の有するリモコン装置識別情報を取得し、コンテンツ識別情報と関連付けを行う（ステップＳ１５０２）。関連付けられた前記二つの情報は送信され（ステップＳ１５０３）、当該情報を用いて課金処理が行われる（ステップＳ１５０４）。その後の処理においては実施例２における説明と同様である。なお、コンテンツ識別情報の取得と、リモコン装置識別情報を取得しコンテンツ識別情報と関連付けを行う処理（ステップＳ１５０１）とは、表示完了情報の取得（ステップＳ１５０６）の前にすでに完了していても構わない。
【００６１】
<ハードウエア構成>
図１６は、上記機能的な各構成要件をハードウエアとして実現した際の、インターネット番組表配信システムにおける構成の一例を表す概略図である。なお、本実施例におけるコンテンツ表示装置とについては実施例１と同一であるので図示は省略する。この図を利用して、特に図１４で示すステップ１４１２からステップＳ１４１５おけるそれぞれのハードウエア構成部の働きについて説明する。
【００６２】
本実施例におけるハードウエアの構成は実施例２と同じであるが、実施例２に示す動作に加え、図１６に示すリモコン装置（１６００）において、通信Ｉ／Ｆ（１６０３）が主に表示完了情報受信部と、表示完了時送信手段として動作する点に特徴を有する。
【００６３】
ここで、コンテンツの表示が完了すると、コンテンツ表示装置（図示しない）のＣＰＵにより、コンテンツの表示完了が検知され、同装置の通信Ｉ／Ｆより、通信回線を介して、リモコン装置の通信Ｉ／Ｆに表示完了情報が送られる。一方、リモコン装置識別情報とこれに関連付けられたコンテンツ識別情報は、実施例２と同様に、リモコン装置において、選択入力部としての操作入力Ｉ／Ｆ（１６０４）によってコンテンツ識別情報などが選択されると、ＣＰＵ（１６０１）は、ＲＡＭ（１６０２）上にあらかじめ蓄積されているリモコン装置識別情報と、選択されたコンテンツ識別情報を関連付ける。当該関連付けられた二の情報は、ＲＡＭ（１６０２）上に保持される。表示完了情報が通信Ｉ／Ｆ（１６０３）により受信されると、ＣＰＵ（１６０１）によりＲＡＭ（１６０２）上に保持されている当該関連付けられた二の情報が呼び出され、通信Ｉ／Ｆ（１６０３）により、コンテンツ識別情報などを番組表データ配信装置（図示せず）に対し送信する。以降の番組表データ配信装置における課金処理については実施例２と同様であるので記載は省略する。
<効果の簡単な説明>
以上のように、本実施例のインターネット番組表配信システムによって表示完了情報をコンテンツ表示装置により受信することで、コンテンツの視聴がすべて完了した場合のみに課金が行われ。確実な課金処理を実行することができる。
【図面の簡単な説明】
【００６４】
【図１】実施例１のインターネット番組表配信システムによる利用場面の一例を説明するための図
【図２】実施例１のインターネット番組表配信システムにおける機能ブロックの一例を表す図
【図３】実施例１のインターネット番組表配信システムにおける処理の一例を表すフローチャート
【図４】実施例１のインターネット番組表配信システムにおける処理の一例を表すシーケンス図
【図５】実施例１のインターネット番組表配信システムにおける番組表データ配信装置のハードウエア構成の一例を表す概略図
【図６】実施例１のインターネット番組表配信システムにおけるリモコン装置のハードウエア構成の一例を表す概略図
【図７】実施例１のインターネット番組表配信システムにおけるコンテンツ表示装置のハードウエア構成の一例を表す概略図
【図８】実施例２のインターネット番組表配信システムにおける機能ブロックの一例を表す図
【図９】実施例２のインターネット番組表配信システムにおける処理の一例を表すシーケンス図
【図１０】実施例２のインターネット番組表配信システムにおける処理の一部の一例を表すフローチャート
【図１１】実施例２のインターネット番組表配信システムにおけるリモコン装置のハードウエア構成の一例を表す概略図
【図１２】実施例２のインターネット番組表配信システムにおける番組表データ配信装置のハードウエア構成の一例を表す概略図
【図１３】実施例３のインターネット番組表配信システムにおける機能ブロックの一例を表す図
【図１４】実施例３のインターネット番組表配信システムにおける処理の一例を表すシーケンス図
【図１５】実施例３のインターネット番組表配信システムにおける処理の一部の一例を表すフローチャート
【図１６】実施例３のインターネット番組表配信システムにおけるリモコン装置のハードウエア構成の一例を表す概略図
【符号の説明】
【００６５】
０２００  インターネット番組表配信システム
０２０１  番組表データ配信装置
０２０２  リモコン装置
０２０３  コンテンツ表示装置
【図１】
2008270930.tif 000003
【図２】
2008270930.tif 000004
【図３】
2008270930.tif 000005
【図４】
2008270930.tif 000006
【図５】
2008270930.tif 000007
【図６】
2008270930.tif 000008
【図７】
2008270930.tif 000009
【図８】
2008270930.tif 000010
【図９】
2008270930.tif 000011
【図１０】
2008270930.tif 000012
【図１１】
2008270930.tif 000013
【図１２】
2008270930.tif 000014
【図１３】
2008270930.tif 000015
【図１４】
2008270930.tif 000016
【図１５】
2008270930.tif 000017
【図１６】
2008270930.tif 000018